(57)【特許請求の範囲】
【請求項１】
基板に固定され、数値を設定すべき制御項目を選択するためのロータリースイッチと、前記基板と離間して設けられたパネルと、前記ロータリースイッチの軸に固定され、その表面に指針が設けられると共に該表面が前記パネルから突出したつまみと、前記設定すべき制御項目に対応した数値を入力するための設定部とを備えた設定装置におけるロータリースイッチ用ストッパ機構であって、前記つまみの裏側には前記パネルの裏面に近接して回動自在にされると共にその外周に所定範囲にわたって突出する突出部が形成されたフランジを設け、前記パネルの裏面には、前記突出部の側面に当接するストッパを複数箇所設け、前記制御項目の異なる機種に対応して前記ストッパを切断可能としたことを特徴とするロータリースイッチ用ストッパ機構。
【請求項２】
前記パネルは合成樹脂製であり、前記ストッパを一体的に形成したことを特徴とする請求項１記載のロータリースイッチ用ストッパ機構。
【請求項３】
前記パネルの表面には前記制御項目の異なる機種に対応した設定用シールを貼付してなることを特徴とする請求項１又は請求項２記載のロータリースイッチ用ストッパ機構。
【請求項４】
前記パネルには設定用押しボタンと設定表示部とが設けられてなることを特徴とする請求項１乃至請求項３のいずれかに記載のロータリースイッチ用ストッパ機構。
【請求項５】
前記設定は温度設定であり、入と切の温度設定を行うことを特徴とする請求項１乃至請求項４のいずれかに記載のロータリースイッチ用ストッパ機構。
【請求項６】
前記設定は警報監視設定であり、第一の所定温度あるいは第二の所定温度に達してから警報器が作動するまでの遅延時間の設定を行うことを特徴とする請求項１乃至請求項５のいずれかに記載のロータリースイッチ用ストッパ機構。
【請求項７】
前記パネルには機器作動状況表示部を設けてなることを特徴とする請求項１乃至請求項６のいずれかに記載のロータリースイッチ用ストッパ機構。
【発明の詳細な説明】
【０００１】
【発明の属する技術分野】
本発明は、冷蔵庫、冷凍機、空調装置、風呂等の制御温度あるいは警報器の作動温度等を、ロータリースイッチを用いて設定するに際し、１つの設定装置により各種の機種の温度設定を行うための、ロータリースイッチ設定用ストッパ機構に関する。
【０００２】
【従来の技術】
冷蔵庫、冷凍機、空調装置、風呂等、各種装置においては、その作動温度を設定し、実際の温度を検出することによって設定作動温度となるように冷凍装置や加熱装置の作動制御を行っている。その作動は一定温度を基準として作動、非作動の制御を行う場合があり、また、所定温度範囲で作動するように、冷凍装置や加熱装置の作動にヒステリシスを設け、一定温度で作動し、その温度とは異なる温度で非作動とするように制御を行う場合がある。
【０００３】
さらに、冷凍装置や加熱装置の制御対象機器の作動制御のほか、所定の温度で警報器を作動させるように設定する場合もあり、その際には、警報器が作動する温度を設定すると共に、その温度になってから所定の時間遅延の後に警報器が実際に作動するように設定する場合がある。このように、警報器の作動制御の設定に際しては、第１に作動温度を、第２には作動遅延時間を設定することとなる。また、その警報に際しては、制御対象機器が、所定の高温側と低温側の温度の範囲内で作動するように制御を行う機器である際には、高温側の温度設定と作動遅延時間を、また、低温側の温度設定と作動遅延時間とを設定する必要がある。
【０００４】
上記のような機器の作動制御用温度設定あるいは警報器作動設定、通常運転位置への戻し操作等、種々の設定、操作に際しては、従来より、ロータリースイッチを用い、温度等の設定を行う回路の基板に固定し、ロータリースイッチから回転軸を突設し、回転軸の端部につまみを設け、つまみを回転することにより回路基板に設けた任意のスイッチを選択ることができるようにし、つまみにより選択したスイッチに対応した設定温度値や設定時間値を、別の入力部材でデジタル的に入力し、以降同様にして、設定すべき項目をロータリースイッチの選択により行い、それぞれの値を入力部材によりデジタル的に入力している。また、上記設定を行った後には、そのつまみを所定の通常運転位置に回転させて戻す操作を行っている。
【０００５】
ロータリースイッチを回転させ、上記のような設定を行う際には、設定すべき値等ロータリースイッチを回転させるべき位置が複数存在するが、その回転操作の簡素化のため、また、ロータリースイッチが３６０度以上回転してしまうことを防止するために、複数の設定位置のうちの一つに対応した位置にストッパを設けておき、ロータリースイッチのつまみを回してこのストッパに当たって止まった位置が設定位置に相当し、この位置で所定の設定操作を行う等、ストッパを用いることによりその設定作業を容易にすることが行われている。
【０００６】
【発明が解決しようとする課題】
上記のような設定操作を行うロータリースイッチにおいて、大型の部品を用いたスイッチの場合には、それ自体で任意の極数を設定できるストッパ機構を有していたので問題はなかったが、近年、回路部品の小型化により構成部品全体が小型化し、上記設定を行う部品自体にストッパ機構を設けることができなくなっている。したがって、ストッパを設けずに、上記設定を全て、ロータリースイッチのつまみを表示板に表示された位置に合わせ、合致したことを確認した後に設定値の入力を行わなければならず、操作が煩雑となり、設定ミスも生じやすかった。
【０００７】
また、上記のように小型の部品を用いた場合でも、ストッパ機構を用いるには、ロータリースイッチから突設したつまみに対向してパネル側にストッパを突出させ、つまみに設けた係止部とそのストッパとを当接させることにより、つまみを所定位置に係止し、その位置で温度等を設定するようにすることも考えられる。しかしながら、パネルにストッパを設けると、上記のように種々の機器に応じて各種の設定を行わなければならないので、そのストッパの位置はそれぞれ異なることとなり、各機器に応じてパネル自体をその度に変えなければならず、各機器に対応したパネルを用意する必要があり、高価なものとなるとともにその選択に手数を要して不便である。
【０００８】
したがって、本発明は、ロータリースイッチにより温度等の設定を行うに際して、小型のロータリースイッチにおいても、ストッパを用いてロータリースイッチが３６０度以上回転することを防止でき、また、容易に所定の位置での設定を行うことができ、且つ、設定項目の異なる各種の機器に対しても、ストッパを用いて設定することができるとともに、１種類のパネルにより各種の機器に対応することができるようにした、ロータリースイッチ用ストッパ機構を提供することを目的とする。
【０００９】
【課題を解決するための手段】
本発明は、上記課題を解決するため、基板に固定され、数値を設定すべき制御項目を選択するためのロータリースイッチと、前記基板と離間して設けられたパネルと、前記ロータリースイッチの軸に固定され、その表面に指針が設けられると共に該表面が前記パネルから突出したつまみと、前記設定すべき制御項目に対応した数値を入力するための設定部とを備えた設定装置におけるロータリースイッチ用ストッパ機構であって、前記つまみの裏側には前記パネルの裏面に近接して回動自在にされると共にその外周に所定範囲にわたって突出する突出部が形成されたフランジを設け、前記パネルの裏面には、前記突出部の側面に当接するストッパを複数箇所設け、前記制御項目の異なる機種に対応して前記ストッパを切断可能としたロータリースイッチ用ストッパ機構を構成したものである。
【００１０】
【発明の実施の形態】
本発明の実施の形態を図面に沿って説明する。図２乃至図７に示す実施例は、本発明のロータリースイッチを３種類の機種の設定に使用する場合の例を示している。なお、本発明は、このような実施例に限らず、たとえば２種類の機種の設定に使用する場合、あるいは４種類の機種の設定に使用する場合等、種々の態様で使用することができる。
【００１１】
図１に示すように、本発明のロータリースイッチ１は、各種回路を設けた基板２上にハンダ付けされて固定され、内部にはロータリースイッチ構成部品が設けられ、近年の構成部品の小型化により、ロータリースイッチ自体も小さなものが用いられている。ロータリースイッチ１の表面側中心からは、内部の回転型接触子を回転させる回転軸３が突設しており、この回転軸３の先端には、つまみ４を圧入等により固定している。つまみの表面５には、図２に示すように目印としての指針６が付されている。つまみ４は樹脂製のパネル７の表面８から突出しており、かつ、つまみの裏側には円形のフランジ１０が設けられ、フランジ１０の外周には、図中実施例においては略９０度の範囲にわたって突出する突出部１１が設けられ、カム形状をなしている。
このフランジ１０は、パネル７の裏面１２に近接して回転するように配置されている。
【００１２】
図２に示すように、パネル７には、液晶表示部１３が設けられ、温度等の表示を行うようになっており、さらに作動状況、あるいは設定状況が外部からわかるように機器作動状況表示部としての表示ランプ１４が設けられている。この表示ランプ１４は、図２の実施例においては、「入」の１つの表示ランプを設けたものが示されている。また、パネル７には、温度等を設定するための信号入力用に上向きの三角形の形状をなす上設定押しボタン１５と、下向きの三角形の形状をなす下設定押しボタン１６とが上下に配置されて設けられている。
【００１３】
樹脂製のパネル７の表面には、つまみ４、液晶表示部１３、表示ランプ１４、上下設定押しボタン１５，１６の各部分をくりぬき穴としているシール１７を貼っている。このシールは、設定の異なる各機種毎に用意されており、図２の実施例に示す第１シール１９においては、つまみ４の周囲部分に印刷した「設定」の部分に「切」「入」の文字、及びそれに対応した目印点が印刷されている。また、この半円状の「設定」印刷範囲の横の上部には「通常運転」の字が印刷されており、ここにも目印点を設けている。図２の実施例において、「通常運転」目印点２０、「切」目印点２１、「入」目印点２２の３つの目印点が略等間隔で配置し印刷されている。この目印点は、つまみ４の指針６をこの位置に合わせたとき、つまみに連動して回転するロータリースイッチ１内のスイッチがＯＮする位置と対応するように配置されている。
【００１４】
シール１７としては、本実施例においては、図２に示す上記第１シール１９のほか、図４に示す第２シール２３、図６に示す第３シール２４の３種類を用意している。第２シール２３においては、図４から明らかなように、図２の「設定」に対応する部分が、「設定１」と「設定２」に分けられ、図２の「切」「入」に対応する部分が図４においては「設定１」の「切」「入」となっている。また、「設定２」の「切」「入」に対応した目印点は、前記の各目印点と等間隔に配置されている。
【００１５】
図６に示す第３シール２４は、「設定」として「切」「入」を、「高温警報」として「温度」「遅延」を、「低温警報」として「温度」「遅延」を各々表示しており、前記「設定」としての「切」「入」と、「高温警報」としての「温度」「遅延」の位置は、図４に示す「設定１」の「切」「入」、「設定２」の「切」「入」の位置と同一であり、「低温警報」の「温度」と「遅延」の各目印点は、前記各表示の目印点と等間隔となっている。
【００１６】
樹脂製のパネル７の裏面には、上記つまみの裏側に設けたフランジ１０の外周２３に対応してストッパ２５が突出している。図３に示すように、あらかじめ４個の第１ストッパ２６、第２ストッパ２７，第３ストッパ２８，第４ストッパ２９が、樹脂製のパネル７の成型時に同時に形成されている。各ストッパ２６，２７，２８，２９は、フランジ１０の外周に接触しない程度に近接しており、それにより、つまみ４を回転したとき、フランジ１０の外周には接触することがなく、しかし、フランジ１０に設けた突出部１１の第１側面３０，及び第２側面３１には当接し、つまみの回転を止めるストッパの機能を行うようになっている。各ストッパの配置は後述する各設定機能を行う位置に配置されている。また、つまみ４の表面に設けた指針６は、フランジ１０の突出部１１の第１側面３０の位置と一致している。
【００１７】
上記のように構成されたロータリースイッチ１において、その各種設定を行う際の操作を説明する。最初、制御を行う機器が、所定の温度で作動、即ち「入」となり、その温度とは異なる温度で作動を停止、即ち「切」とする第１の機器の場合には、樹脂製のパネル７には図２に示す第１シール１９を貼っておく。
【００１８】
その設定に際しては、つまみ４を図２及び図３（イ）に示す位置から、図中時計方向に回転し、つまみ４のフランジ１０に設けた突出部１１の第１側面３０が第１ストッパ２６に当接するまでつまみ４を回転する。この位置では、つまみ４の指針６はシールに印刷された「設定」の「入」の目印点２２を向いている。ここで操作者は、上設定押しボタン１５と下設定押しボタン１６とを押し、液晶表示部１３に表示される温度を所定の値とする。この操作の終了後、つまみ４を反時計方向に回転し、つまみ４の指針６を「切」の目印点２３と合わせる。ここで操作者は、上設定押しボタン１５と下設定押しボタン１６とを押し、液晶表示部１３に表示される温度を所定の値とする。その後、つまみ４を更に反時計方向に回転し、フランジ１０に設けた突出部１１の第２側面３１が第４ストッパ２９に当接するまで回転する。この時つまみ４の指針６は「通常運転」の目印点と一致し、図２及び図３（イ）に示される位置となる。以上で、一連の設定を終了する。このように設定した後に、機器の作動状況はパネルに設けた「入」のランプ１４の点灯、非点灯状態で確認することができる。
【００１９】
次に、制御を行う機器が、低温側の第１の設定範囲で作動するものと、高温側の第２の設定範囲で作動するものとを備えている機器である場合、あるいは、所定の温度範囲で作動するとともに、その温度より高温の所定の温度で警報器を作動させるようにした第２の機器である場合等、ロータリースイッチ１で２つの領域の作動温度を設定する場合には、樹脂製のパネル７には図４に示す第２シール２３を貼っておく。
【００２０】
その設定に際し、最初にペンチあるいはカッターで第１ストッパ２６を切除する。その後は、前記図２及び図３に示したものと同様の操作により、つまみ４を図４及び図５（イ）に示す位置から、図中時計方向に回転し、つまみ４のフランジ１０に設けた突出部１１の第１側面３０が第１ストッパ２６が存在していた位置までつまみ４を回転する。この位置では、つまみ４の指針６はシールに印刷された「設定１」の「入」の目印点３２を向いている。この状態で操作者は、上設定押しボタン１５と下設定押しボタン１６とを押し、液晶表示部１３に表示される温度を所定の値とする。この操作の終了後、つまみ４を反時計方向に回転し、つまみ４の指針６を「設定１」の「切」の目印点３３と合わせる。この状態で操作者は、上設定押しボタン１５と下設定押しボタン１６とを押し、液晶表示部１３に表示される温度を所定の値とする。
【００２１】
次いで、上記「設定１」の操作と同様に、図中時計方向に回転し、つまみ４のフランジ１０に設けた突出部１１の第１側面３０が第２ストッパ２７に当接するまでつまみ４を回転する。この位置では、つまみ４の指針６はシールに印刷された「設定２」の「入」の目印点３４を向いている。ここで操作者は、上設定押しボタン１５と下設定押しボタン１６とを押し、液晶表示部１３に表示される温度を所定の値とする。この操作の終了後、つまみ４を反時計方向に回転し、つまみ４の指針６を「設定２」の「切」の目印点３５と合わせる。ここで操作者は、上設定押しボタン１５と下設定押しボタン１６とを押し、液晶表示部１３に表示される温度を所定の値とする。その後、つまみ４を更に反時計方向に回転し、フランジ１０に設けた突出部１１の第２側面３１が第４ストッパ２９に当接するまで回転する。この時つまみ４の指針６は「通常運転」の目印点２０と一致する。以上で、一連の設定は終了する。このように設定した後に、機器の作動状況はパネルに設けた「入１」のランプ３６と、「入２」のランプ３７の点灯、非点灯状態で第１の設定温度範囲で機器が作動しているか否か、また、第２の設定温度範囲で機器が作動しているか否かを確認することができる。
【００２２】
この第２の機器として、所定の温度範囲で作動するとともに、その温度より高温の所定の温度で警報器を作動させるようにした第２の機器である場合には、シールには上記「設定２」の代わりに「警報」とし、「入」「切」の代わりに「温度」「遅延」等の表示を行う。なお、「警報」における「温度」「遅延」の機能等については以下に述べる第３の機種の設定と同様である。
【００２３】
次に、制御を行う機器が、所定の温度範囲で作動するとともに、その温度より高温の第１の所定の温度に達し、しかも所定の時間経過したとき、即ち所定の遅延時間経過した後に、第１の所定温度に達したことを警報する警報器を作動させるようにし、かつ、上記第１の所定の温度より高温の第２の所定の温度に達し、しかも所定の遅延時間経過した後に第２の所定温度に達したことを警報する警報器を作動させるようにした第３の機器である場合では、樹脂製のパネル７には図６に示す第３シール２４を貼っておく。
【００２４】
その設定に際して最初にペンチあるいはカッターで第１ストッパ２６，第２ストッパ２７を切除する。その後は、前記と同様の操作により、つまみ４を図６R>６及び図７（イ）に示す位置から、図中時計方向に回転し、つまみ４のフランジ１０に設けた突出部１１の第１側面３０が第１ストッパ２６が存在していた位置までつまみ４を回転する。この位置では、つまみ４の指針６はシールに印刷された「設定」の「入」の目印点４１を向いている。ここで操作者は、上設定押しボタン１５と下設定押しボタン１６とを押し、液晶表示部１３に表示される温度を所定の値とする。この操作の終了後、つまみ４を反時計方向に回転し、つまみ４の指針６を「設定」の「切」の目印点４２と合わせる。ここで操作者は、上設定押しボタン１５と下設定押しボタン１６とを押し、液晶表示部１３に表示される温度を所定の温度とする。
【００２５】
次いで、上記「設定」の操作と同様に、図中時計方向に回転し、つまみ４のフランジ１０に設けた突出部１１の第１側面３０が第２ストッパ２７が存在していた位置までつまみ４を回転する。この位置では、つまみ４の指針６はシールに印刷された「高温警報」の「遅延」の目印点４３を向いている。ここで操作者は、上設定押しボタン１５と下設定押しボタン１６とを押し、液晶表示部１３に表示される数字を所定の値とし、これを時間の値と見なして、警報器が第２の所定温度に達してから警報器が作動するまでの遅延時間を設定する。この操作の終了後、つまみ４を反時計方向に回転し、つまみ４の指針６を「高温警報」の「温度」の目印点４４と合わせる。この状態で操作者は、上設定押しボタン１５と下設定押しボタン１６とを押し、液晶表示部１３に表示される温度を上記第２の所定温度とする。
【００２６】
次いで、上記「高温警報」の操作と同様に、図中時計方向に回転し、つまみ４のフランジ１０に設けた突出部１１の第１側面３０が第３ストッパ２８に当接するまでつまみ４を回転する。この位置では、つまみ４の指針６はシールに印刷された「低温警報」の「遅延」の目印点４５を向いている。ここで操作者は、上設定押しボタン１５と下設定押しボタン１６とを押し、液晶表示部１３に表示される数字を所定の値とし、これを時間の値と見なして、警報器が第１の所定温度に達してから警報器が作動するまでの遅延時間を設定する。この操作の終了後、つまみ４を反時計方向に回転し、つまみ４の指針６を「低温警報」の「温度」の目印点４６と合わせる。ここで操作者は、上設定押しボタン１５と下設定押しボタン１６とを押し、液晶表示部１３に表示される温度を上記第１の所定温度とする。つまみ４を更に反時計方向に回転し、フランジ１０に設けた突出部１１の第２側面３１が第４ストッパ２９に当接するまで回転する。この時つまみ４の指針６は「通常運転」の目印点２０と一致する。以上で、一連の設定は終了する。このように設定した後に、機器の作動状況はパネルに設けた「入」のランプ４７、「警報入」のランプ４８の点灯、非点灯状態で設定温度範囲で機器が作動しているか否か、また、警報器が作動しているか否かを確認することができる。
【００２７】
上記実施例では、ストッパを４個設け、第１の機種から第３の機種までの３種類の機種に対して設定を行うようにした例を示したが、ストッパは任意の複数の個数を選択することができ、そのストッパに対応した任意の種類の設定を行うようにすることができる。したがって、上記実施例において、図２及び図３の第１の機種と図４及び図５の第２の機種のみに対応するように、上記実施例における第３のストッパを省き、３個のストッパのみを用いるようにしてもよく、またストッパを５個設け、４種類の機種に対応するようにする等、種々の対応が可能である。
【００２８】
【発明の効果】
本発明は、上記のように構成したので、ロータリースイッチにより温度等の設定を行うに際して、小型のロータリースイッチにおいても、ストッパを用いることができる構成となり、それによりロータリースイッチが３６０度以上回転することを防止でき、また、ロータリースイッチの所定の位置での設定を容易に、かつ確実に行うことができる。しかも、設定項目の異なる各種の機器に対しても、ストッパを用いて設定することができるとともに、１種類のパネルにより各種の機器に対応することができ、安価のものとすることができる。
【００２９】
また、パネルを合成樹脂製とし、ストッパを一体的に形成したものにおいては、ストッパの形成が容易であり、且つ設定時にストッパを切除することも容易となる。
【００３０】
また、パネルには機種に対応した設定用シールを貼付したものにおいては、このシールを機種に対応して印刷しておき、これを用意しておくのみで、機種の変更時にパネル等を変えることなく、容易に且つ安価に対応することができる。
【図面の簡単な説明】
【図１】本発明の実施例の要部断面図である。
【図２】本発明を第１の機種に適用した際の正面図である。
【図３】同第１の機種における、つまみのフランジとストッパの作動図であり、（イ）は設定開始前の状態を示し、（ロ）は設定時の状態を示す。
【図４】本発明を第２の機種に適用した際の正面図である。
【図５】同第２の機種における、つまみのフランジとストッパの作動図であり、（イ）は設定開始前の状態を示し、（ロ）は設定時の状態を示す。
【図６】本発明を第３の機種に適用した際の正面図である。
【図７】同第３の機種における、つまみのフランジとストッパの作動図であり、（イ）は設定開始前の状態を示し、（ロ）は設定時の状態を示す。
【符号の説明】
１ ロータリースイッチ
２ 基板
３ 回転軸
４ つまみ
５ 表面
６ 指針
７ パネル
８ 表面
１０ フランジ
１１ 突出部
１２ 裏面
１３ 液晶表示部
１４ 表示ランプ
１５ 上設定押しボタン
１６ 下設定押しボタン
１７ シール
１９ 第１シール
２０「通常運転」目印点
２１「切」目印点
２２「入」目印点
２３ 第２シール
２４ 第３シール
２５ ストッパ
２６ 第１ストッパ
２７ 第２ストッパ
２８ 第３ストッパ
２９ 第４ストッパ
３０ 第１側面
３１ 第２側面
【図１】
0003887736.tif 000002
【図２】
0003887736.tif 000003
【図３】
0003887736.tif 000004
【図４】
0003887736.tif 000005
【図５】
0003887736.tif 000006
【図６】
0003887736.tif 000007
【図７】
0003887736.tif 000008